(57)【要約】【課題】正規品以外の部品（いわゆる非正規品の部品）の使用を防止することができる。【解決手段】濾材の中空部に挿入される内筒には、第２プレートの下側に配置される略円板形状のフランジ部から上方に突出するように凸部が形成される。濾材の下端の開口部を覆うように設けられる第２プレートの下側の面には、凸部が挿入される凹部が形成される。【選択図】  図２
2019122917.tif 000002
【特許請求の範囲】
【請求項１】
両端に開口を有する中空円筒形状の濾材と、前記濾材の上端の開口部を覆うように設けられる第１プレートと、前記濾材の下端の開口部を覆うように設けられる第２プレートと、を有するフィルタエレメントと、
前記フィルタエレメントが内部に設けられた有底略円筒形状のフィルタケースと、
前記フィルタケースの上端の開口部を覆うように設けられた蓋部材と、
を備え、
前記フィルタエレメントは、前記濾材の中空部に挿入される内筒を有し、
前記第２プレートには、前記内筒が挿入される孔が形成され、
前記内筒は、前記第２プレートの下側に配置される略円板形状のフランジ部と、前記フランジ部から上方に突出するように前記フランジ部に形成された凸部と、を有し、
前記第２プレートの下側の面には、前記凸部が挿入される凹部が形成される
ことを特徴とする濾過装置。
【請求項２】
請求項１に記載の濾過装置であって、
前記第１プレートは、前記フィルタエレメントが前記フィルタケースに挿入された状態で前記蓋部材に向けて突出する略円筒形状の第１筒状部を有し、
前記蓋部材は、前記第１筒状部の中空部に挿入される第２筒状部と、前記第２筒状部が前記第１筒状部に挿入されたときに前記第１筒状部の外周面に沿って設けられるリブと、を有し、
平面視において前記第１筒状部と前記リブとの位置が重なり、
前記リブと前記第１筒状部とが重なる部分を切り欠くように前記リブに第２凹部が形成され、
前記第１プレートに前記蓋部材が取り付けられた状態では、前記第２凹部の底面が前記第１筒状部の先端に隣接する
ことを特徴とする濾過装置。
【請求項３】
請求項２に記載の濾過装置であって、
前記第１筒状部は、先端側に設けられた小径部と、根元側に設けられた大径部と、を有し、
前記小径部は、前記大径部より外径が小さくなっており、
平面視において前記リブと前記小径部の位置とが重なり、前記リブと前記小径部とが重なる部分を切り欠くように前記リブに前記第２凹部が形成され、
前記第１プレートに前記蓋部材が取り付けられた状態では、前記リブは前記小径部の外周面に沿って設けられ、前記リブの先端は前記小径部と前記大径部との間に形成された平面部に隣接する
ことを特徴とする濾過装置。
【請求項４】
請求項２又は３に記載の濾過装置であって、
前記第１筒状部は、径方向外側に突出する突起を有し、
前記リブは、切り欠きを有し、
前記第１プレートに前記蓋部材が取り付けられた状態では、前記第２筒状部が前記第１筒状部に挿入されており、前記切り欠きに前記突起が挿入されている
ことを特徴とする濾過装置。
【請求項５】
請求項１から４のいずれか一項に記載の濾過装置であって、
前記凸部は、略円筒形状である
ことを特徴とする濾過装置。
【発明の詳細な説明】
【技術分野】
【０００１】
本発明は、濾過装置に関する。
【背景技術】
【０００２】
特許文献１には、フィルタエレメントの端面に向かって突出した蓋側凸部が蓋部材の下面に形成され、蓋側凸部と嵌合する形状のフィルタ側凹部がフィルタエレメントに形成されたフィルタ構造が開示されている。
【先行技術文献】
【特許文献】
【０００３】
【特許文献１】実用新案登録第３１８５６１２号
【発明の概要】
【発明が解決しようとする課題】
【０００４】
特許文献１に記載の発明では、蓋側凸部やフィルタ側凹部が形成された部品（いわゆる正規品）の蓋側凸部やフィルタ側凹部を切削加工することにより、蓋側凸部やフィルタ側凹部が形成されていない部品（いわゆる非正規品）が使用可能となってしまう。非正規品の使用により、濾過性能が低下したり、液体が漏れたりするおそれがある。
【０００５】
本発明はこのような事情に鑑みてなされたもので、正規品以外の部品（いわゆる非正規品の部品）の使用を防止することができる濾過装置を提供することを目的とする。
【課題を解決するための手段】
【０００６】
上記課題を解決するために、本発明に係る濾過装置は、例えば、両端に開口を有する中空円筒形状の濾材と、前記濾材の上端の開口部を覆うように設けられる第１プレートと、前記濾材の下端の開口部を覆うように設けられる第２プレートと、を有するフィルタエレメントと、前記フィルタエレメントが内部に設けられた有底略円筒形状のフィルタケースと、前記フィルタケースの上端の開口部を覆うように設けられた蓋部材と、を備え、前記フィルタエレメントは、前記濾材の中空部に挿入される内筒を有し、前記第２プレートには、前記内筒が挿入される孔が形成され、前記内筒は、前記第２プレートの下側に配置される略円板形状のフランジ部と、前記フランジ部から上方に突出するように前記フランジ部に形成された凸部と、を有し、前記第２プレートの下側の面には、前記凸部が挿入される凹部が形成されることを特徴とする。
【０００７】
本発明に係る濾過装置によれば、濾材の中空部に挿入される内筒には、第２プレートの下側に配置される略円板形状のフランジ部から上方に突出するように凸部が形成され、濾材の下端の開口部を覆うように設けられる第２プレートの下側の面には、凸部が挿入される凹部が形成される。このような凸部及び凹部を有する正規品に対し、凸部や凹部が設けられていない非正規品の場合には、フィルタエレメントを正しい位置まで挿入できず、濾過装置を使用することができない。このように、正規品に凸部及び凹部を設けることで、正規品以外の部品（いわゆる非正規品の部品）の使用を防止することができる。
【０００８】
ここで、前記第１プレートは、前記フィルタエレメントが前記フィルタケースに挿入された状態で前記蓋部材に向けて突出する略円筒形状の第１筒状部を有し、前記蓋部材は、前記第１筒状部の中空部に挿入される第２筒状部と、前記第２筒状部が前記第１筒状部に挿入されたときに前記第１筒状部の外周面に沿って設けられるリブと、を有し、平面視において前記第１筒状部と前記リブとの位置が重なり、前記リブと前記第１筒状部とが重なる部分を切り欠くように前記リブに第２凹部が形成され、前記第１プレートに前記蓋部材が取り付けられた状態では、前記第２凹部の底面が前記第１筒状部の先端に隣接してもよい。このような第２凹部を有する正規品に対し、第２凹部が設けられていない非正規品の場合には、リブの先端と第１筒状部の先端とが当接してしまい、フィルタエレメントを正しい位置まで挿入できず、濾過装置を使用することができない。したがって、非正規品の部品の使用を防止することができる。
【０００９】
ここで、前記第１筒状部は、先端側に設けられた小径部と、根元側に設けられた大径部と、を有し、前記小径部は、前記大径部より外径が小さくなっており、平面視において前記リブと前記小径部の位置とが重なり、前記リブと前記小径部とが重なる部分を切り欠くように前記リブに前記第２凹部が形成され、前記第１プレートに前記蓋部材が取り付けられた状態では、前記リブは前記小径部の外周面に沿って設けられ、前記リブの先端は前記小径部と前記大径部との間に形成された平面部に隣接してもよい。このような第２凹部を有する正規品に対し、第２凹部が設けられていない非正規品の場合には、リブの先端と小径部の先端とが当接してしまい、フィルタエレメントを正しい位置まで挿入できず、濾過装置を使用することができない。したがって、非正規品の部品の使用を防止することができる。
【００１０】
ここで、前記第１筒状部は、径方向外側に突出する突起を有し、前記リブは、切り欠きを有し、前記第１プレートに前記蓋部材が取り付けられた状態では、前記第２筒状部が前記第１筒状部に挿入されており、前記切り欠きに前記突起が挿入されていてもよい。これにより、非正規品の部品製造が困難になり、非正規品の部品を使用することをより効果的に防ぐことができる。
【００１１】
ここで、前記凸部は、略円筒形状であってもよい。このように、凸部を単純な形状とすることで、製造が容易となる。
【発明の効果】
【００１２】
本発明によれば、正規品以外の部品（いわゆる非正規品の部品）の使用を防止することができる。
【図面の簡単な説明】
【００１３】
【図１】本発明の第１の実施の形態にかかる濾過装置１の概略を示す斜視図である。
【図２】濾過装置１の概略を示す断面図である。
【図３】濾過装置１の部分拡大図であり、一部を切断した図である。
【図４】蓋部材２０の斜視図である。
【図５】フィルタエレメント３０の斜視図である。
【図６】濾過装置１の断面斜視図であり、一部を拡大表示した図である
【図７】フィルタケース１０及び内筒３１の断面斜視図であり、一部を拡大表示した図である
【図８】フィルタエレメント３０の斜視図であり、一部を拡大表示した図である。
【図９】濾過装置２が有する第１模倣品取付防止構造５０Ａの概略を示す図である。
【図１０】図９の面Ｐにおける断面図である。
【図１１】小径部３４ｇを用いない変形例の概略を示す図である。
【図１２】濾過装置３が有する第３模倣品取付防止構造５２の概略を示す図である。
【発明を実施するための形態】
【００１４】
以下、本発明の実施形態を、図面を参照して詳細に説明する。
【００１５】
＜第１の実施の形態＞
図１は、濾過装置１の概略を示す斜視図である。濾過装置１は、油、水等の液体に含まれる塵埃等を、フィルタを用いて除去するものであり、主として、フィルタケース１０と、蓋部材２０と、フィルタエレメント３０（図２等参照）と、を有する。
【００１６】
蓋部材２０には、フィルタケース１０と蓋部材２０とにより形成される内部空間に濾過前の液体を流入させる流入口２１と、濾過後の液体を流出させる流出口２２と、が形成される。
【００１７】
蓋部材２０には、インジケータ４０が設けられる。インジケータ４０は、内部に設けられたリードスイッチ（図示せず）を用いてフィルタケース１０内部の圧力差を測定し、測定結果をランプ（図示せず）の点灯・消灯によって表示する。なお、測定結果の表示は、ランプの点灯・消灯に限られず、例えば、表示部（例えば液晶パネル）に測定結果を表示するようにしてもよい。
【００１８】
図２は、濾過装置１の概略を示す断面図である。フィルタケース１０は、一端（ここでは、下端）が略閉塞され、他端が開口する略有底円筒形状の部材であり、金属又は樹脂により形成される。フィルタケース１０の略閉塞された下端は、底面１１である。
【００１９】
フィルタケース１０の底面１１には孔１２が形成され、孔１２にはドレン（図示省略）が設けられる。なお、ドレンを設けることは必須ではない。
【００２０】
フィルタケース１０は、略円筒形状の側面１３を有する。側面１３の下端は底面１１に連結している。側面１３の上端は開口端１４である。開口端１４近傍において、側面１３の内周面には雌ねじ部１５が形成される。
【００２１】
蓋部材２０は、略有底円筒形状の部材であり、金属により形成される。蓋部材２０は、底面から下側（−ｚ側）に突出するように形成された略円筒形状の取付部２３を有する。取付部２３の外周面には、雄ねじ部２４が形成される。
【００２２】
フィルタケース１０の開口端１４は、蓋部材２０に取り付けられる。雄ねじ部２４を雌ねじ部１５に螺合させると、蓋部材２０がフィルタケース１０に取り付けられる。このようにして、フィルタケース１０の開口端１４を覆うように蓋部材２０が設けられる。なお、蓋部材２０は、底面が上側（＋ｚ側）に位置するように設けられる。
【００２３】
このように、蓋部材２０の開口端と、フィルタケース１０の開口端とが連結されることで、フィルタエレメント３０が挿入される空間が濾過装置１の内部に形成される。
【００２４】
フィルタケース１０と蓋部材２０との間には、図示しないシール部材（例えば、Ｏリング）が設けられる。シール部材により、フィルタケース１０と蓋部材２０との間から液体が外部に漏れないようにシールされる。
【００２５】
蓋部材２０は、底面から下側（−ｚ側）に突出するように形成された略円筒形状の嵌合筒２５を有する。嵌合筒２５は、取付部２３の内側に形成される。嵌合筒２５は、プレート３４（後に詳述）の筒状部３４ｃ（後に詳述）の内部に挿入される。嵌合筒２５は、模倣品取付防止用の構造（第１模倣品取付防止構造、後に詳述）を構成する。
【００２６】
フィルタケース１０の内部には、フィルタエレメント３０と、内筒３１とが設けられる。フィルタエレメント３０は、主として、濾材３２と、濾材３２の両端に設けられるプレート３３、３４と、を有する。
【００２７】
フィルタケース１０に蓋部材２０が取り付けられると、フィルタエレメント３０と、内筒３１がフィルタケース１０と蓋部材２０とにより形成された内部空間に保持される。
【００２８】
内筒３１は、耐腐食性の高い材料（本実施の形態では、樹脂）を用いて形成された略中空円筒形状の部材である。内筒３１は、フィルタケース１０の内部に設けられ、濾材３２の内周面に挿入される。濾材３２の内周面に挿入される略円筒部分を筒状部３１ａとする。筒状部３１ａの全面には、作動油が通過する孔３１ｄが多数形成される。
【００２９】
濾材３２は、径方向に厚みを有する略中空円筒形状である。濾材３２は、合成樹脂や紙等を用いたシート状の濾紙をひだ折りにし、ひだ折りにした濾紙の両端を連結して円筒状に丸めることによって形成される。濾材３２は、内筒３１の外側に設けられる。
【００３０】
プレート３３、３４は、略板状の部材であり、耐腐食性の高い材料（本実施の形態では、樹脂）を用いて形成される。プレート３３は濾材３２の下側に設けられ、プレート３４は濾材３２の上側に設けられる。
【００３１】
プレート３３、３４は、濾材３２の端面を覆う略円板形状の板状部３３ａ、３４ａを有する。板状部３３ａ、３４ａには、それぞれ、内筒３１が挿入される孔３３ｂ、３４ｂが形成される。平面視において（ｚ方向から見て）、孔３３ｂ、３４ｂの大きさは、濾材３２の中空部の大きさと略同一である。
【００３２】
内筒３１は、板状部３３ａの下側に配置される略円板形状のフランジ部３１ｂと、フランジ部３１ｂから上方に突出するように形成された凸部３１ｃと、を有する。板状部３３ａの下側の面には、凸部３１ｃが挿入される凹部３３ｃが形成される。凸部３１ｃ及び凹部３３ｃは、模倣品取付防止用の構造（第２模倣品取付防止構造、後に詳述）を構成する。
【００３３】
板状部３４ａには、略円筒形状の筒状部３４ｃが形成される。筒状部３４ｃは、プレート３４が濾材３２に設けられたときに濾材３２とは反対側に突出する。言い換えれば、筒状部３４ｃは、フィルタエレメント３０がフィルタケース１０に挿入された状態で蓋部材２０に向けて突出する。
【００３４】
筒状部３４ｃの先端３４ｅ近傍には、突起３４ｄが形成される。突起３４ｄは、模倣品取付防止用の構造（第１模倣品取付防止構造、後に詳述）を構成する。
【００３５】
筒状部３４ｃには、嵌合筒２５が挿入される。筒状部３４ｃの先端３４ｅ近傍には、嵌合筒２５が挿入されたときに嵌合筒２５と対向する内周面３４ｆを有する。嵌合筒２５が筒状部３４ｃに挿入されると、内周面３４ｆに設けられたシール部材４１が弾性変形して嵌合筒２５と筒状部３４ｃとに密着する。これにより、フィルタエレメント３０が蓋部材２０に設けられる。
【００３６】
図３は、濾過装置１の部分拡大図であり、一部を切断した図である。第１模倣品取付防止構造５０は、主として、嵌合筒２５に形成されたリブ２５ａと、筒状部３４ｃに形成された突起３４ｄとを有する。
【００３７】
図４は、蓋部材２０の斜視図である。嵌合筒２５（図３参照）の下端近傍には、径方向外側に突出するように略円板形状のフランジ部２５ｂが設けられる。嵌合筒２５のフランジ部２５ｂより先端側は挿入部２５ｃであり、筒状部３４ｃ（図３参照）の中空部に挿入される。
【００３８】
フランジ部２５ｂには、挿入部２５ｃと略平行なリブ２５ａが複数形成される。リブ２５ａは、略板状の部材であり、挿入部２５ｃと同じ方向に突出する。複数のリブ２５ａは、それぞれ、略円筒形状のリブの一部であり、離間して設けられる。隣接するリブ２５ａとリブ２５ａとの間は、突起３４ｄが挿入される切り欠き２５ｄである。平面視において、複数のリブ２５ａ及び切り欠き２５ｄは、均等に配置される。
【００３９】
図５は、フィルタエレメント３０の斜視図である。筒状部３４ｃには、径方向外側に突出する略板状の突起３４ｄが複数形成される。複数の突起３４ｄは、それぞれ、略円板形状のフランジの一部であり、離間して設けられる。平面視において、複数の突起３４ｄは、均等に配置される。
【００４０】
本実施形態では、突起３４ｄは先端３４ｅに沿って設けられているが、突起３４ｄは先端３４ｅの近傍に設けられていればよく、例えば突起３４ｄが先端３４ｅより多少下方に設けられていてもよい。ただし、突起３４ｄの高さ方向の位置が内周面３４ｆと重なることが望ましい。
【００４１】
図３の説明に戻る。挿入部２５ｃ（図４参照）が筒状部３４ｃに挿入され、プレート３４に蓋部材２０が取り付けられると、リブ２５ａは、筒状部３４ｃの外周面に沿って設けられる。また、挿入部２５ｃ（図４参照）が筒状部３４ｃに挿入され、プレート３４に蓋部材２０が取り付けられると、リブ２５ａとリブ２５ａとの間に突起３４ｄが挿入される。
【００４２】
このように、リブ２５ａ及び突起３４ｄを配置することで、突起３４ｄとリブ２５ａとが干渉せず、筒状部３４ｃの先端３４ｅ（図５参照）がフランジ部２５ｂに当接するまで、プレート３４に対して蓋部材２０を押し込むことができる。
【００４３】
図６は、濾過装置１の断面斜視図であり、一部を拡大表示した図である。第２模倣品取付防止構造５１は、主として、内筒３１に形成された凸部３１ｃと、プレート３３に形成された凹部３３ｃと、を有する。
【００４４】
図７は、フィルタケース１０及び内筒３１の断面斜視図であり、一部を拡大表示した図である。内筒３１は、略円板形状のフランジ部３１ｂから下方向（−ｚ方向）に突出するように凸部３１ｅが形成されている。凸部３１ｅの外周面に形成された雄ねじ３１ｆを、孔１２に形成された雌ねじ部１２ａに螺合させると、内筒３１がフィルタケース１０に取り付けられる。内筒３１がフィルタケース１０に取り付けられた状態では、フランジ部３１ｂは、底面１１と当接する。
【００４５】
フランジ部３１ｂには、フランジ部３１ｂから上方向（＋ｚ方向）に突出する凸部３１ｃが形成される。ここでは、凸部３１ｃは、単純な形状とし、製造を容易にするため、略円筒形状のリブである。
【００４６】
図８は、フィルタエレメント３０の斜視図であり、一部を拡大表示した図である。プレート３３は、板状部３３ａの下側に形成された筒状部３３ｄを有する。筒状部３３ｄの下側の面３３ｅには、凹部３３ｃが形成される。ここでは、凹部３３ｃは、略円形の溝である。
【００４７】
図６の説明に戻る。フィルタエレメント３０は、濾材３２の中空部に内筒３１が挿入されるように、フィルタケース１０内に挿入される。凸部３１ｃが凹部３３ｃに挿入されるため、フィルタエレメント３０は、面３３ｅがフランジ部３１ｂの上面に当接するまで挿入される。
【００４８】
面３３ｅがフランジ部３１ｂの上面に当接するまで挿入されると、孔３３ｂに設けられたシール部材４２が弾性変形して内筒３１の外周面３１ｇと筒状部３３ｄの内周面に密着する。これにより、フィルタエレメント３０が内筒３１に設けられる。
【００４９】
次に、濾過装置１の動作について説明する。図２の矢印は、液体の流れを示す。流入口２１から流入した液体は、フィルタケース１０とフィルタエレメント３０との間に導かれる。その後、液体は、濾材３２を外側から内側へ通過し、その過程で液体中の不純物が除去される。濾材３２の内側へ通過した液体は、内筒３１に形成された孔３１ｄを通過して内筒３１の内部へ流出する。
【００５０】
濾過後の液体は、内筒３１の内側から流出口２２を介して濾過装置１の外部へ流出する。なお、フィルタエレメント３０と内筒３１との間、フィルタエレメント３０と蓋部材２０との間は、それぞれシール部材４１、４２によって液密に閉塞されている。このため、濾過前の液体が内筒３１の内部へ侵入することはない。
【００５１】
濾材３２は、液体を濾過することにより次第に濾過能力が低下していく。したがって、定期的に又は必要に応じてフィルタエレメント３０の交換を行う。以下、交換の手順について説明する。
【００５２】
まず、雄ねじ部２４と雌ねじ部１５との螺合を解除して、フィルタケース１０と蓋部材２０とを分解する。その結果、フィルタエレメント３０のプレート３４が露出するため、プレート３４を上へ引き上げることでフィルタエレメント３０を内筒３１から取り外す。このとき、突起３４ｄを把持部として用いることで、フィルタエレメント３０の取り扱いが容易となる。
【００５３】
その後、新しいフィルタエレメント３０をフィルタケース１０へ挿入する。内筒３１には凸部３１ｃが形成されているため、凹部３３ｃが形成されたフィルタエレメント３０を挿入することで、凸部３１ｃが凹部３３ｃに挿入され、面３３ｅがフランジ部３１ｂの上面に当接するまでフィルタエレメント３０が押し込まれる。
【００５４】
フィルタエレメント３０をフィルタケース１０へ挿入したら、雄ねじ部２４と雌ねじ部１５とを螺合してフィルタケース１０と蓋部材２０とを結合する。雄ねじ部２４と雌ねじ部１５とを螺合する過程で、嵌合筒２５が筒状部３４ｃに挿入され、リブ２５ａとリブ２５ａとの間に突起３４ｄが挿入される。そのまま雄ねじ部２４と雌ねじ部１５との螺合を継続すると、リブ２５ａが突起３４ｄを押すことで、蓋部材２０及びフィルタエレメント３０が内筒３１に対して回転しつつ、嵌合筒２５が筒状部３４ｃの内部に挿入されていく。
【００５５】
リブ２５ａとリブ２５ａとの間の切り欠き２５ｄに突起３４ｄが挿入されているため、筒状部３４ｃの先端３４ｅがフランジ部２５ｂに当接するまで、雄ねじ部２４と雌ねじ部１５とを螺合することができる。これにより、フィルタエレメント３０の交換が終了する。
【００５６】
ここで、正規品であるフィルタエレメント３０以外の非正規品であるフィルタエレメントをフィルタケース１０及び蓋部材２０に取り付ける場合を考える。例えば、非正規品のフィルタエレメントに凹部３３ｃが形成されていない場合には、面３３ｅが凸部３１ｃと当接してしまい、非正規品のフィルタエレメントを正しい位置まで挿入できない。その結果、雄ねじ部２４と雌ねじ部１５とを螺合することができず、濾過装置１を使用することができない。
【００５７】
また例えば、非正規品のフィルタエレメントに形成された凹部３３ｃの深さが不十分である場合や、非正規品のフィルタエレメントに突起３４ｄが形成されていない場合は、雄ねじ部２４と雌ねじ部１５とを途中までしか螺合することができず、濾過装置１を使用することができない。
【００５８】
また例えば、正規品であるフィルタエレメント３０の突起３４ｄの代わりに、非正規品であるフィルタエレメントに略円板形状のフランジが設けられている場合を考える。このような非正規品のフィルタエレメントをフィルタケース１０に挿入した場合には、雄ねじ部２４と雌ねじ部１５とを螺合する過程でリブ２５ａがフランジに当たってしまい、雄ねじ部２４と雌ねじ部１５とを螺合することができず、濾過装置１を組み立てることができない。また、正規品ではない蓋部材に切り欠き２５ｄが形成されていない（略円筒形状のリブが形成されている）場合についても、略円筒形状のリブと突起３４ｄが当たってしまい、雄ねじ部２４と雌ねじ部１５とを螺合することができず、濾過装置１を組み立てることができない。
【００５９】
本実施の形態によれば、正規品であるフィルタエレメント３０以外のフィルタエレメント、つまり非正規品のフィルタエレメントの使用を確実に防止することができる。
【００６０】
なお、本実施の形態では、濾過装置１は第１模倣品取付防止構造５０及び第２模倣品取付防止構造５１を備えたが、濾過装置１は第１模倣品取付防止構造５０又は第２模倣品取付防止構造５１を備えていればよい。
【００６１】
また、本実施の形態では、濾過装置１は４個のリブ２５ａと４個の突起３４ｄを備えたが、突起３４ｄは少なくとも１つ設けられていればよい。突起３４ｄが１つの場合には、２つのリブ２５ａが突起３４ｄを挟む位置に設けられ、２つのリブ２５ａの間の切り欠き２５ｄに突起３４ｄが挿入されればよい。また突起３４ｄが１つの場合には、２つのリブ２５ａの代わりに、突起３４ｄが嵌合する切り欠き２５ｄを有する略円筒形状の１本のリブが設けられていてもよい。ただし、非正規品の製造を困難にし、正規品以外の部品の使用を確実に防止するためには、リブ２５ａ、切り欠き２５ｄ及び突起３４ｄを複数設けることが望ましい。また、複数のリブ２５ａ、切り欠き２５ｄ及び突起３４ｄは、均等に設けることが望ましい。例えば、リブ２５ａ、切り欠き２５ｄ及び突起３４ｄをそれぞれ６個ずつ、略６０度おきに設けてもよい。このように、リブ２５ａ、切り欠き２５ｄ及び突起３４ｄをそれぞれ複数設け、これらを均等に配置することで、正規品以外の部品の使用を防止しつつ、組み立て性を向上させることができる。
【００６２】
＜第２の実施の形態＞
本実施の形態では、第１模倣品取付防止構造５０がリブ２５ａ及び突起３４ｄを有し、リブ２５ａが筒状部３４ｃの外周面に沿って設けられるが、リブ２５ａ、筒状部３４ｃ及び突起３４ｄの形態はこれに限られない。
【００６３】
図９は、濾過装置２が有する第１模倣品取付防止構造５０Ａの概略を示す図である。第１模倣品取付防止構造５０Ａは、リブ２５ａ−１、筒状部３４ｃ−１及び突起３４ｄを有する。リブ２５ａ−１とリブ２５ａ−１との間は、突起３４ｄが挿入される切り欠き２５ｄ−１である。突起３４ｄは、小径部３４ｇの先端に設けられる。小径部３４ｇは、筒状部３４ｃ−１の先端側に設けられており、筒状部３４ｃ−１の根元側に設けられた大径部３４ｉより外径が小さくなっている。
【００６４】
筒状部３４ｃ−１は平面部３４ｈを有し、平面部３４ｈは小径部３４ｇと大径部３４ｉとの間に形成される。プレート３４Ａに蓋部材２０Ａが取り付けられると、突起３４ｄが切り欠き２５ｄ−１に挿入され、リブ２５ａ−１が小径部３４ｇの外周面に沿って設けられ、リブ２５ａ−１の先端が平面部３４ｈに隣接する。
【００６５】
図１０は、図９の面Ｐにおける断面図である。図１０では、図９の紙面手前側から見た様子を示す。平面視において、リブ２５ａ−１の位置と、筒状部３４ｃ−１の位置とが重なる。また、平面視において、リブ２５ａ−１の位置と、小径部３４ｇの位置とが重なり、リブ２５ａ−１と小径部３４ｇとが重なる部分を切り欠くようにリブ２５ａ−１に凹部２５ｅが形成されている。したがって、プレート３４Ａに蓋部材２０Ａが取り付けられると、凹部２５ｅの底面２５ｆが小径部３４ｇの先端に隣接し、リブ２５ａ−１の先端が平面部３４ｈに隣接する位置まで、プレート３４Ａに対して蓋部材２０Ａが押し込まれる。
【００６６】
ここで、リブ２５ａ−１に凹部２５ｅが設けられていない非正規品をフィルタケース１０（図９参照）に取り付ける場合を考える。凹部２５ｅが設けられていない場合には、リブ２５ａ−１の先端と小径部３４ｇの先端とが当接してしまい、リブ２５ａ−１の先端が平面部３４ｈに隣接する位置まで蓋部材２０Ａを押し込むことができず、フィルタケース１０に蓋部材２０Ａを取り付けることができない。それに対し、濾過装置２では、平面視におけるリブ２５ａ−１の位置と筒状部３４ｃ−１の位置とが重なるようにリブ２５ａ−１及び筒状部３４ｃ−１を形成し、リブ２５ａ−１と小径部３４ｇとが当たらないように凹部２５ｅを設けることで、リブ２５ａ−１の先端が平面部３４ｈに隣接する位置まで蓋部材２０Ａを押し込むことが可能となる。
【００６７】
このように本実施の形態によれば、非正規品のフィルタエレメントや蓋部材の使用を確実に防止することができる。また、構成部品が増えないため、組み立て性が低下しない。
【００６８】
なお、本実施の形態では、第２模倣品取付防止構造５１は必須ではない。濾過装置２は、第１模倣品取付防止構造５０Ａのみを有していても良いし、第１模倣品取付防止構造５０Ａ及び第２模倣品取付防止構造５１を有していても良い。
【００６９】
＜第２の実施の形態の変形例＞
第２の実施の形態では、先端に小径部３４ｇが形成された筒状部３４ｃ−１を用いたが、小径部３４ｇは必須ではない。図１１は、小径部３４ｇを用いない変形例の概略を示す図である。平面視において、リブ２５ａ−２の位置と、筒状部３４ｃの位置とが重なり、リブ２５ａ−２と筒状部３４ｃとが重なる部分を切り欠くようにリブ２５ａ−２に凹部２５ｇが形成されている。したがって、プレート３４に蓋部材２０Ｂが取り付けられると、凹部２５ｇの底面２５ｈが筒状部３４ｃの先端に隣接し、リブ２５ａ−２の先端が板状部３４ａに隣接する位置まで、プレート３４に対して蓋部材２０Ｂが押し込まれる。
【００７０】
それに対し、凹部２５ｇが設けられていない非正規品をフィルタケース１０（図９参照）に取り付ける場合を考える。凹部２５ｇが設けられていない場合には、リブ２５ａ−２の先端と筒状部３４ｃの先端とが当接してしまい、リブ２５ａ−２の先端が板状部３４ａに隣接する位置まで蓋部材２０Ｂを押し込むことができない。このように本変形例では、第２の実施の形態と同様、非正規品のフィルタエレメントや蓋部材の使用を確実に防止することができる。
【００７１】
ただし、第２の実施の形態は、本変形例より形状が複雑であり、非正規品の蓋部材やフィルタエレメントを加工して正規品のフィルタケースに取り付けようとするときに非正規品の加工が困難である。したがって、第２の実施の形態は、本変形例に比べて、非正規品のフィルタエレメントや蓋部材の使用をより確実に防止することができる。
【００７２】
＜第３の実施の形態の変形例＞
第３の実施の形態は、第１模倣品取付防止構造５０にかえて、第３模倣品取付防止構造５２を有する形態である。図１２は、濾過装置３が有する第３模倣品取付防止構造５２の概略を示す図である。
【００７３】
第３模倣品取付防止構造５２と第１模倣品取付防止構造５０Ａとの差異は、切り欠き２５ｄ−１の有無である。第３模倣品取付防止構造５２は、リブ２５ａ−２と、筒状部３４ｃ−２と、を有する。リブ２５ａ−２は、挿入部２５ｃ（図２参照）と略平行な略円筒形状のリブであり、切り欠きが形成されていない点以外はリブ２５ａ−１と同様である。筒状部３４ｃ−２は、突起３４ｄが形成されていない点以外は筒状部３４ｃ−１と同様である。図１２における面Ｐの断面形状は、図１０と同様である。
【００７４】
本実施の形態によれば、濾過装置３が第３模倣品取付防止構造５２を有することで、非正規品のフィルタエレメントや蓋部材をフィルタケース１０に取り付けようとしても、雄ねじ部２４及び雌ねじ部１５（図２参照）を螺合することができない。これにより、非正規品のフィルタエレメントや蓋部材の使用を確実に防止することができる。
【００７５】
なお、濾過装置３は、第３模倣品取付防止構造５２に加えて第２模倣品取付防止構造５１を有していても良い。濾過装置３が第２模倣品取付防止構造５１及び第３模倣品取付防止構造５２を有することで、非正規品のフィルタエレメントや蓋部材の使用をより確実に防止することができる。また、図１２における面Ｐの断面形状は、図１１と同様でもよい。
【００７６】
以上、この発明の実施形態を、図面を参照して詳述してきたが、具体的な構成はこの実施形態に限られるものではなく、この発明の要旨を逸脱しない範囲の設計変更等も含まれる。当業者であれば、実施形態の各要素を、適宜、変更、追加、変換等することが可能である。
【００７７】
また、本発明において、「略」とは、厳密に同一である場合のみでなく、同一性を失わない程度の誤差や変形を含む概念である。例えば、略同一とは、厳密に同一の場合には限られず、同一性を失わない程度の誤差を含む概念である。また、例えば、単に同一と表現する場合において、厳密に同一の場合のみでなく、略同一の場合を含むものとする。また、本発明において「近傍」とは、基準となる位置の近くのある範囲（任意に定めることができる）の領域を含むことを意味する。例えば、Ａの近傍という場合に、Ａの近くのある範囲の領域であって、Ａを含んでもいても含んでいなくてもよいことを示す概念である。
【符号の説明】
【００７８】
１        ：濾過装置
１０      ：フィルタケース
１１      ：底面
１２      ：孔
１２ａ    ：雌ねじ部
１３      ：側面
１４      ：開口端
１５      ：雌ねじ部
２０      ：蓋部材
２１      ：流入口
２２      ：流出口
２３      ：取付部
２４      ：雄ねじ部
２５      ：嵌合筒
２５ａ、２５ａ−１、２５ａ−２：リブ
２５ｂ    ：フランジ部
２５ｃ    ：挿入部
２５ｄ、２５ｄ−１：切り欠き
２５ｅ、２５ｇ：凹部
２５ｆ    ：底面
３０      ：フィルタエレメント
３１      ：内筒
３１ａ    ：筒状部
３１ｂ    ：フランジ部
３１ｃ    ：凸部
３１ｄ    ：孔
３１ｅ    ：凸部
３１ｆ    ：雄ねじ
３１ｇ    ：外周面
３２      ：濾材
３３、３４：プレート
３３ａ    ：板状部
３３ｂ    ：孔
３３ｃ    ：凹部
３３ｄ    ：筒状部
３３ｅ    ：面
３４ａ    ：板状部
３４ｂ    ：孔
３４ｃ、３４ｃ−１、３４ｃ−２：筒状部
３４ｄ    ：突起
３４ｅ    ：先端
３４ｆ    ：内周面
３４ｇ    ：小径部
３４ｈ    ：平面部
４０      ：インジケータ
４１、４２：シール部材
５０、５０Ａ：第１模倣品取付防止構造
５１      ：第２模倣品取付防止構造
５２      ：第３模倣品取付防止構造
【図１】
2019122917.tif 000003
【図２】
2019122917.tif 000004
【図３】
2019122917.tif 000005
【図４】
2019122917.tif 000006
【図５】
2019122917.tif 000007
【図６】
2019122917.tif 000008
【図７】
2019122917.tif 000009
【図８】
2019122917.tif 000010
【図９】
2019122917.tif 000011
【図１０】
2019122917.tif 000012
【図１１】
2019122917.tif 000013
【図１２】
2019122917.tif 000014